(57)【要約】[課題]染色の重なりを考慮した補正を行うことにより、特定領域、特に、細胞核の染色領域を明確にして、判別しやすくすることができる画像処理装置及び画像処理方法並びにこれを用いた病理診断支援システムを提供する。[解決手段]病理染色画像を、染色色素毎の色素濃度画像へ分解し、染色色素毎の色素の情報に相関を持たせて、各色素濃度画像を補正することで特定領域を強調する。
2019008935.tif 000002
【特許請求の範囲】
【請求項１】
病理染色画像における特定領域を強調する画像処理装置であって、
前記病理染色画像を、染色色素毎の色素濃度画像へ分解する色素濃度画像生成モジュールと、
前記各色素濃度画像を用いて、前記特定領域を強調するための画像処理を行う色素濃度画像補正モジュールと、を備え、
前記色素濃度画像補正モジュールは、前記染色色素毎の色素の情報に相関を持たせて、前記各色素濃度画像を補正する画像処理装置。
【請求項２】
前記色素濃度画像生成モジュールは、色素基底に基づいたカラーデコンボリューション（color deconvolution）の手法により各色素濃度画像を生成する請求項１に記載の画像処理装置。
【請求項３】
前記色素濃度画像生成モジュールは、
前記病理染色画像において特定領域を染色する第１染色色素に基づく第１染色色素濃度画像と、
前記病理染色画像において非特定領域を染色する第２染色色素に基づく第２染色色素濃度画像と、を少なくとも含む複数の前記色素濃度画像に分解する請求項１または２に記載の画像処理装置。
【請求項４】
前記色素濃度画像補正モジュールは、
前記第２染色色素濃度画像に対して、同一位置の前記第１染色色素濃度画像の色素濃度と、所定の補正係数との積を減算処理し、前記第２染色色素濃度画像を補正する請求項３に記載の画像処理装置。
【請求項５】
前記色素濃度画像補正モジュールは、
前記第１染色色素濃度画像に対して、該第１染色色素濃度画像の色素濃度と、同一位置の前記第２染色色素濃度画像の色素濃度と、所定の補正係数との積を加算処理し、前記第１染色色素濃度画像を補正する請求項３に記載の画像処理装置。
【請求項６】
前記色素濃度画像補正モジュールは、
前記第２染色色素濃度画像に対して、同一位置の前記第１染色色素濃度画像の色素濃度と、所定の補正係数との積を加算処理し、前記第２染色色素濃度画像を補正する請求項３に記載の画像処理装置。
【請求項７】
前記色素濃度画像補正モジュールは、
前記第１染色色素濃度画像に対して、該第１染色色素濃度画像の色素濃度と、同一位置の前記第２染色色素濃度画像の色素濃度と、所定の補正係数との積を減算処理し、前記第１染色色素濃度画像を補正する請求項３に記載の画像処理装置。
【請求項８】
前記所定の補正係数は、機械学習による学習過程を通じて得られた最適値である請求項４から７のいずれかに記載の画像処理装置。
【請求項９】
前記色素濃度画像補正モジュールにおいて補正された前記各色素濃度画像に基づき、補正後の病理染色画像を生成する病理染色画像再生成モジュールをさらに備える請求項１から８のいずれかに記載の画像処理装置。
【請求項１０】
前記病理染色画像再生成モジュールにおいて生成された補正後の病理染色画像から、前記特定領域を染色した染色色素特有の色情報に基づき、前記特定領域を抽出する特定領域抽出モジュールをさらに備える請求項９に記載の画像処理装置。
【請求項１１】
診断を行う検体に染色を行う検体染色手段と、
染色された検体の病理染色画像を撮像する撮像手段と、
請求項１から１０のいずれかに記載の画像処理装置と、を備える病理診断支援システム。
【請求項１２】
病理染色画像における特定領域を強調する画像処理方法であって、
前記病理染色画像を、染色色素毎の色素濃度画像へ分解する色素濃度画像生成工程と、
前記各色素濃度画像を用いて、前記特定領域を強調するための画像処理を行う色素濃度画像補正工程と、を有し、
前記色素濃度画像補正工程では、前記染色色素毎の色素の情報に相関を持たせて、前記各色素濃度画像を補正する画像処理方法。
【請求項１３】
前記色素濃度画像生成工程では、色素基底に基づいたカラーデコンボリューション（color deconvolution）の手法により各色素濃度画像を生成する請求項１２に記載の画像処理方法。
【請求項１４】
前記色素濃度画像生成工程では、
前記病理染色画像において特定領域を染色する第１染色色素に基づく第１染色色素濃度画像と、
前記病理染色画像において非特定領域を染色する第２染色色素に基づく第２染色色素濃度画像と、を少なくとも含む複数の前記色素濃度画像に分解する請求項１２または１３に記載の画像処理方法。
【請求項１５】
前記色素濃度画像補正工程では、
前記第２染色色素濃度画像に対して、同一位置の前記第１染色色素濃度画像の色素濃度と、所定の補正係数との積を減算処理し、前記第２染色色素濃度画像を補正する請求項１４に記載の画像処理方法。
【請求項１６】
前記色素濃度画像補正工程では、
前記第１染色色素濃度画像に対して、該第１染色色素濃度画像の色素濃度と、同一位置の前記第２染色色素濃度画像の色素濃度と、所定の補正係数との積を加算処理し、前記第１染色色素濃度画像を補正する請求項１４に記載の画像処理方法。
【請求項１７】
前記色素濃度画像補正工程では、
前記第２染色色素濃度画像に対して、同一位置の前記第１染色色素濃度画像の色素濃度と、所定の補正係数との積を加算処理し、前記第２染色色素濃度画像を補正する請求項１４に記載の画像処理方法。
【請求項１８】
前記色素濃度画像補正工程では、
前記第１染色色素濃度画像に対して、該第１染色色素濃度画像の色素濃度と、同一位置の前記第２染色色素濃度画像の色素濃度と、所定の補正係数との積を減算処理し、前記第１染色色素濃度画像を補正する請求項１４に記載の画像処理方法。
【請求項１９】
前記所定の補正係数は、機械学習による学習過程を通じて得られた最適値である請求項１５から１８のいずれかに記載の画像処理方法。
【発明の詳細な説明】
【技術分野】
【０００１】
本発明は、病理染色画像において観察したい特定領域を強調することができる画像処理装置及び画像処理方法並びにこれを用いて病理染色画像における特定領域を抽出することができる病理診断支援システムに関する。
【背景技術】
【０００２】
従来、病理診断においては、患者から採取した検体を病理医や臨床検査技師等の専門職員が顕微鏡などによって観察することにより、治療薬の選択や治療方針の指針を得ている。このような観察の際には、一般的に、複数の色素を用いて検体を染色する。【０００３】
例えば、乳癌の診断においては、細胞核を選択的に染色するヘマトキシリン（hematoxylin）と、乳癌の予後予測に関連の深い特定のタンパク質を選択的に染色するように設計されたジアミノベンジジン（ＤＡＢ）とを組み合わせた染色が行われる。【０００４】
また、このような病理診断においては、近年、機械学習の一種でありニューラルネットワークを発展させた深層学習を病理診断画像解析に適用する例が増えている。【０００５】
このような病理診断においては、上述するように複数の色素による染色を行っているため、しばしば、撮像素子により取得した検体の画像を観察者に提示する際や、機械学習の手法において識別器を学習する際には、色素基底を用いた色素毎の濃度画像への分解や、分解された画像を補正したものが用いられている。【０００６】
例えば、特許文献１では、デジタルスライド画像の表示方法について開示されており、撮影画像を各染色色素に応じた色素濃度画像へと分解して単一染色画像として提示する方法や、染色色素毎にデジタル強調処理した上で再結合して提示する方法が示されている。【０００７】
なお、色素濃度画像への分解（カラーデコンボリューション（color deconvolution））とは、撮影画像の画素毎に、以下の演算を行うことである。
撮像素子のＲＧＢ各チャンネルに対する色素固有の吸収寄与を表す色素基底からなる行列をＭとしたとき、光学濃度（ＯＤ）に直したＲＧＢ値を並べたベクトルｙから、注目画素に含まれる色素の量を表すベクトルＣを下記式（Ａ）に基づいて推定することができる。【０００８】
【数１】
2019008935.tif 000003
【０００９】
Ｍ-1は、Ｍの逆行列を表す。この式は、下記式（Ｂ）のように、物質による光の吸収を定式化したランバート・ベールの法則から導かれる。【００１０】
【数２】
2019008935.tif 000004
【００１１】
ここで、Ｉ0及びＩはそれぞれ入射光の強度、物質通過後の光強度を表す。また、Ａ，ｃはそれぞれ色素の量と単位当りの吸収係数である。
【先行技術文献】
【特許文献】
【００１２】
【特許文献１】特開２０１４−００２１６６号公報
【発明の概要】
【発明が解決しようとする課題】
【００１３】
しかしながら、従来の手法では、各染色色素に応じた濃度画像への変換や、それぞれの色素濃度画像に対する補正は考慮されているものの、染色の重なりを考慮した補正はなされていなかった。【００１４】
例えば、細胞核をヘマトキシリン（Ｈ）で、細胞質もしくは細胞膜の少なくとも１つをジアミノベンジジン（ＤＡＢ）で染色し、ＤＡＢ陽性の細胞核を計測する場合、Ｈ染色領域（ヘマトキシリンによって染色された領域）に対するＤＡＢ染色領域（ＤＡＢによって染色された領域）の重なり方は多岐に亘る。【００１５】
これは、実際の検体組織は３次元に広い空間構造を持つのに対して、観察試料はそれらをスライスした剥片であることが一因である。すなわち、細胞をどこで切るかによって、細胞核の染色領域に対する、細胞質もしくは細胞膜の少なくとも１つの染色領域の重なり方にばらつきが生じる。その結果、病理医等の観察者が画像診断によりＤＡＢ陽性の細胞核を判断する場合や、機械学習の手法により識別器を学習する際に、ＤＡＢ染色の強い領域において細胞核、すなわち、Ｈ染色領域が判別しづらいという問題が生じている。【００１６】
本発明では、撮影画像に対して、染色の重なりを考慮した補正を行うことにより、特定領域、特に、細胞核の染色領域を明確にして、判別しやすくすることができる画像処理装置及び画像処理方法並びにこれを用いた病理診断支援システムを提供することを目的とする。
【課題を解決するための手段】
【００１７】
本発明は、前述したような従来技術における課題を解決するために発明されたものであって、上述した目的のうち少なくとも一つを実現するために、本発明の一側面を反映した画像処理装置は、病理染色画像における特定領域を強調する画像処理装置であって、
前記病理染色画像を、染色色素毎の色素濃度画像へ分解する色素濃度画像生成モジュールと、
前記各色素濃度画像を用いて、前記特定領域を強調するための画像処理を行う色素濃度画像補正モジュールと、を備え、
前記色素濃度画像補正モジュールは、前記染色色素毎の色素の情報に相関を持たせて、前記各色素濃度画像を補正する。【００１８】
また、本発明の一側面を反映した病理診断支援システムは、
診断を行う検体に染色を行う検体染色手段と、
染色された検体の病理染色画像を撮像する撮像手段と、
上述する画像処理装置とを備える。【００１９】
また、本発明の一側面を反映した画像処理方法は、病理染色画像における特定領域を強調する画像処理方法であって、
前記病理染色画像を、染色色素毎の色素濃度画像へ分解する色素濃度画像生成工程と、
前記各色素濃度画像を用いて、前記特定領域を強調するための画像処理を行う色素濃度画像補正工程と、を有し、
前記色素濃度画像補正工程では、前記染色色素毎の色素の情報に相関を持たせて、前記各色素濃度画像を補正する。
【発明の効果】
【００２０】
本発明によれば、病理染色画像において観察したい特定領域について、染色の重なりを考慮した補正を行うことにより、特定領域を染色する色素の情報を増幅したり、特定領域以外を染色する色素の情報を除外したりすることで、特定領域の染色を明確にして、観察者の判読性を向上させることができる。
【図面の簡単な説明】
【００２１】
【図１】図１は、本発明の一実施例における病理診断支援システムの構成を説明するブロック図である。
【図２】図２は、図１に示す画像処理装置の構成を説明するブロック図である。
【図３】図３は、図２に示す画像処理装置における画像処理の流れを示すフロー図である。
【図４】図４は、病理染色画像に対して色素濃度補正を行った際の一例を示す画像である。
【図５】図５は、病理染色画像に対して色素濃度補正を行った際の別の一例を示す画像である。
【発明を実施するための形態】
【００２２】
以下、本発明の実施の形態（実施例）を図面に基づいて、より詳細に説明する。
図１は、本発明の一実施例における病理診断支援システムの構成を説明するブロック図、図２は、図１に示す画像処理装置の構成を説明するブロック図、図３は、図２に示す画像処理装置における画像処理の流れを示すフロー図である。
【００２３】
図１に示すように、本実施例の病理診断支援システム１０は、診断を行う検体に染色を行う検体染色手段２０と、染色された検体の病理染色画像を撮像する撮像手段３０と、撮像された病理染色画像の解析を行う画像処理装置４０と、を備えている。
【００２４】
検体染色手段２０は、検体について、複数の染色領域をそれぞれ染色するための手段である。検体染色手段２０は、既存の自動染色装置であってもよいし、細胞を染色するための試薬を含むキットとすることもできる。
【００２５】
なお、本実施例においては、細胞核を第１染色領域とし、これを染色する第１染色色素としては、ヘマトキシリン（Ｈ）を用いている。また、細胞質及び細胞膜を第２染色領域とし、これを染色する第２染色色素としては、ジアミノベンジジン（ＤＡＢ）を用いている。
【００２６】
複数の染色領域は、適宜設定することができ、染色色素についても、設定した染色領域を選択的に染色することができるものであれば、特に限定されるものではない。
【００２７】
なお、細胞核を染色するための試薬としては、ヘマトキシリン（Ｈ）のほかにも、例えば、ケルンエヒトロート、メチルグリーンなどを用いることができる。
【００２８】
また、細胞質もしくは細胞膜の少なくとも１つを染色するための試薬としては、ジアミノベンジジン（ＤＡＢ）のほかにも、例えば、ヒストグリーンなどを用いることができる。
【００２９】
撮像手段３０は、染色された検体の病理染色画像を撮像するための手段である。撮像手段３０は、後述する画像処理装置４０に病理染色画像を受け渡すことから、デジタルカメラやデジタルスライドスキャナなどを用いることが好ましい。なお、必要に応じて、顕微鏡や、ノイズを低減するためのローパスフィルタなどを含むことができる。
【００３０】
なお、撮像手段３０により病理染色画像を撮像する際には、検体の存在しない領域、例えば、検体を挟持するスライドガラスのガラス領域などにおいて、予めホワイトバランス補正を行うことが好ましい。
【００３１】
画像処理装置４０は、入力された病理染色画像に対して後述するような画像解析を行うための手段である。画像処理装置４０は、例えば、演算装置、制御装置、記憶装置、入力装置及び出力装置を含む公知のコンピュータやマイコンなどによって構成される。なお、コンピュータは、パーソナルコンピュータであってもよいし、サーバーであってもよい。
【００３２】
また、画像処理装置４０は、色素濃度画像生成モジュール４２と、色素濃度画像補正モジュール４４と、病理染色画像再生成モジュール４６と、特定領域抽出モジュール４８と、を含む。
なお、これらのモジュールは、画像処理装置４０によって実行可能なプログラムとして実現することができる。
【００３３】
このように構成される病理診断支援システム１０では、検体染色手段２０により染色された検体について、撮像手段３０により病理染色画像を撮像し、撮像された病理染色画像を画像処理装置４０に入力することにより、画像処理装置４０では、図３に示す流れで、検体の病理染色画像から細胞核領域の抽出を行う。
【００３４】
まず、画像処理装置４０は、色素濃度画像生成モジュール４２において、入力された病理染色画像を、染色色素毎の色素濃度画像へ分離する。本実施例においては、Ｈ濃度画像、ＤＡＢ濃度画像、その他の成分の濃度画像の３種類の色素濃度画像へ分離する。
【００３５】
ここで、色素濃度画像への分離には、従来既知の手法である、色素基底を用いたカラーデコンボリューション（color deconvolution）の手法を用いることができる。これにより、検体毎に異なる撮影条件のもと撮像された病理染色画像に対しても、それぞれ別の色素基底を用いることにより、同等の撮影条件のもと撮像された場合と同等の色素濃度画像を生成することができる。
【００３６】
次いで、画像処理装置４０は、色素濃度画像補正モジュール４４において、色素濃度画像を用いて、特定領域を強調するため画像処理により濃度補正を行う。本実施例においては、第１染色領域（細胞核領域）の強調処理を行う。
【００３７】
具体的には、特定領域である第１染色領域を染色する第１染色色素に基づく第１染色色素濃度画像と、非特定領域である第２染色領域を染色する第２染色色素に基づく第２染色色素濃度画像と、を用いて、以下のような演算を行うことにより、第１染色領域の強調処理を行うことができる。
【００３８】
画像処理装置４０は、色素濃度画像補正モジュール４４において、下記式（１）のような演算（減算処理）を行うことにより、ＨとＤＡＢにより重染色された領域から、ＤＡＢの重なりを除去することにより、ＤＡＢ領域に包含されたＨ領域を鮮明化させることができる。
【００３９】
【数３】
2019008935.tif 000005
【００４０】
ここで、ｘ，ｙは色素濃度画像上の位置、ＣHはＨ濃度値、ＣDABはＤＡＢ濃度値、αは所定の補正係数を意味する。
【００４１】
このように、第２染色領域に対し、同一位置の第１染色色素濃度に比例した減算処理を施すことにより、重染色領域における第１染色色素濃度が相対的に強調され、結果として重染色された領域が判別しやすくなる。
【００４２】
そして、画像処理装置４０は、病理染色画像再生成モジュール４６において、補正されたＤＡＢ濃度画像と、Ｈ濃度画像及びその他の成分の濃度画像とを、畳み込む（convolution）ことにより、補正後の病理染色画像を生成することができる。
【００４３】
図４は、病理染色画像を上述する減算処理により色素濃度補正を行った際の一例を示す画像である。
図４（ａ）は、画像処理装置４０に入力された病理染色画像である。なお、病理染色画像は通常カラー画像であるが、便宜上グレースケール画像として示す。これを、色素濃度画像生成モジュール４２において各色素濃度画像へと分離する。図４（ｂ）は、Ｈ濃度画像、図４（ｃ）は、ＤＡＢ濃度画像である。
【００４４】
色素濃度画像補正モジュール４４では、このＨ濃度画像とＤＡＢ濃度画像を用いて、上記式（１）の演算を行う。本実施例では、α＝０．５として演算した。図４（ｄ）は、補正後のＤＡＢ濃度画像である。
【００４５】
そして、図４（ｂ）に示すＨ濃度画像と、図４（ｄ）に示す補正後のＤＡＢ濃度画像と、図示しないその他の成分の濃度画像と、を畳み込むことによって、重染色領域における第１染色領域が鮮明化された病理染色画像が生成される。図４（ｅ）は、補正後の病理染色画像である。
【００４６】
また、画像処理装置４０は、色素濃度画像補正モジュール４４において、下記式（２）のような演算（加算処理）を行うことにより、Ｈ濃度画像においてＨにより染色された領域を強調することにより、ＤＡＢ領域に包含されたＨ領域を鮮明化させることもできる。
【００４７】
【数４】
2019008935.tif 000006
【００４８】
ここで、ｘ，ｙは色素濃度画像上の位置、ＣHはＨ濃度値、ＣDABはＤＡＢ濃度値、βは所定の補正係数を意味する。
【００４９】
このように、第１染色領域に対し、自身の染色色素濃度と、同一位置にある第２染色色素濃度との積に比例した加算処理を施すことにより、重染色領域における第１染色色素濃度が相対的に強調され、結果として重染色された領域が判別しやすくなる。
【００５０】
そして、画像処理装置４０は、病理染色画像再生成モジュール４６において、補正されたＨ濃度画像と、ＤＡＢ濃度画像及びその他の成分の濃度画像とを、畳み込む（color convolution）ことにより、図４（ｅ）に示すような補正後の病理染色画像を生成することができる。なお、補正後の病理染色画像は通常カラー画像であるが、便宜上グレースケール画像として示す。
【００５１】
図５は、病理染色画像を上述する加算処理により色素濃度補正を行った際の一例を示す画像である。
図５（ａ）は、画像処理装置４０に入力された病理染色画像である。なお、病理染色画像は通常カラー画像であるが、便宜上グレースケール画像として示す。これを、色素濃度画像生成モジュール４２において各色素濃度画像へと分離する。図５（ｂ）は、Ｈ濃度画像、図５（ｃ）は、ＤＡＢ濃度画像である。
【００５２】
色素濃度画像補正モジュール４４では、このＨ濃度画像とＤＡＢ濃度画像を用いて、上記式（２）の演算を行う。本実施例では、β＝０．７５として演算した。図５（ｄ）は、補正後のＨ濃度画像である。
【００５３】
そして、図５（ｄ）に示す補正後のＨ濃度画像と、図５（ｃ）に示すＤＡＢ濃度画像と、図示しないその他の成分の濃度画像と、を畳み込むことによって、重染色領域における第１染色領域が鮮明化された病理染色画像が生成される。図５（ｅ）は、補正後の病理染色画像である。
【００５４】
また、画像処理装置４０は、色素濃度画像補正モジュール４４において、下記式（３）のような演算（加算処理）を行うことにより、ＤＡＢ濃度画像においてＨにより染色された領域を強調することにより、重染色領域における第２染色領域を鮮明化させることもできる。
【００５５】
【数５】
2019008935.tif 000007
【００５６】
ここで、ｘ，ｙは色素濃度画像上の位置、ＣHはＨ濃度値、ＣDABはＤＡＢ濃度値、γは所定の補正係数を意味する。
【００５７】
このように、第２染色領域に対し、同一位置の第１染色色素濃度に比例した加算処理を施すことにより、重染色領域における第２染色色素濃度が相対的に強調され、結果として重染色された領域が判別しやすくなる。
【００５８】
そして、画像処理装置４０は、病理染色画像再生成モジュール４６において、補正されたＨ濃度画像と、ＤＡＢ濃度画像及びその他の成分の濃度画像とを、畳み込む（color convolution）ことにより、図５（ｅ）に示すような補正後の病理染色画像を生成することができる。なお、補正後の病理染色画像は通常カラー画像であるが、便宜上グレースケール画像として示す。
【００５９】
また、画像処理装置４０は、色素濃度画像補正モジュール４４において、下記式（４）のような演算（減算処理）を行うことにより、Ｈ濃度画像においてＤＡＢにより染色された領域を強調することにより、重染色領域における第２染色領域を鮮明化させることもできる。
【００６０】
【数６】
2019008935.tif 000008
【００６１】
ここで、ｘ，ｙは色素濃度画像上の位置、ＣHはＨ濃度値、ＣDABはＤＡＢ濃度値、δは所定の補正係数を意味する。
【００６２】
このように、第１染色領域に対し、自身の染色色素濃度と、同一位置にある第２染色色素濃度との積に比例した減算処理を施すことにより、重染色領域における第２染色色素濃度が相対的に強調され、結果として重染色された領域が判別しやすくなる。
【００６３】
そして、画像処理装置４０は、病理染色画像再生成モジュール４６において、補正されたＨ濃度画像と、ＤＡＢ濃度画像及びその他の成分の濃度画像とを、畳み込む（color convolution）ことにより、補正後の病理染色画像を生成することができる。
【００６４】
なお、色素濃度画像補正モジュール４４において行われる画像処理は、上記の処理に限定されるものではなく、特定領域を強調するための処理を追加することもできる。また、上記の処理における所定の補正係数α、β、γ、δは、特に限定されるものではなく、例えば、観察者の判読性に応じて適宜変更することができる。また、所定の補正係数α、β、γ、δは、機械学習による学習過程を通じて最適値を得るようにすることもできる。
【００６５】
このようにして得られた補正後の病理染色画像を用いて、画像処理装置４０は、特定領域抽出モジュール４８において、特定領域を染色した染色色素特有の色情報に基づき、特定領域を抽出する。本実施例においては、補正後の病理染色画像において、細胞核を染色したヘマトキシリン特有の色を示す領域を細胞核として抽出させる。
【００６６】
なお、画像処理装置４０の特定領域抽出モジュール４８により、補正後の病理染色画像から特定領域を抽出せずに、例えば、ディスプレイやプリンタなどの出力手段に、補正後の病理染色画像を出力するようにしてもよい。
【００６７】
以上、本発明の好ましい実施の態様を説明してきたが、本発明はこれに限定されることはなく、本発明の目的を逸脱しない範囲で種々の変更が可能である。
【符号の説明】
【００６８】
１０      病理診断支援システム
２０      検体染色手段
３０      撮像手段
４０      画像処理装置
４２      色素濃度画像生成モジュール
４４      色素濃度画像補正モジュール
４６      病理染色画像再生成モジュール
４８      特定領域抽出モジュール
【図１】
2019008935.tif 000009
【図２】
2019008935.tif 000010
【図３】
2019008935.tif 000011
【図４】
2019008935.tif 000012
【図５】
2019008935.tif 000013
【国際調査報告】
2019008935.tif 000014
2019008935.tif 000015
2019008935.tif 000016
2019008935.tif 000017